(57)【特許請求の範囲】
【請求項１】
複数の画素を配置し、前記複数画素のそれぞれの色情報の連鎖展開または局所化によって意味付けられた書画情報を表示する書画の暗号化装置において、
原書画を構成する複数の画素を画面に表示される際の２次元配列の画素として格納した原書画記憶手段と、暗号化すべき位置の画素を指定して前記画素に付番を施す付番手段と、前記付番手段によって指定された付番つき画素を読出す読出手段と、読出された前記画素を構成する１以上の因子に演算子を作用させて暗号化する作用手段と、暗号化された画素の位置を指定した書画情報を格納する暗号化記憶手段とを備え、
前記画素は複数の数値因子から構成され、この因子に作用させる演算子は算術演算子であって、前記暗号化記憶手段が、暗号化に於ける演算子の作用によるオーバフローまたはアンダフローを、復号時に補償するように保持し、原書画情報の指定した位置における画素を暗号化することを特徴とする書画の暗号化装置。
【請求項２】
複数の画素を配置し、前記複数画素のそれぞれの色情報の連鎖展開または局所化によって意味付けられた書画情報を表示する書画の復号化装置において、
暗号化された書画情報を格納する記憶手段と、前記書画情報から暗号化された画素を読出す読出手段と、暗号化された画素から演算子の作用を戻す復元手段とを備え、
前記復元手段は、前記置換テーブルによる置換によって暗号化された画素を復号する際に、暗号化された画素とともに暗号化の作用の逓減用画素と画素位置を受領し、暗号化画素を前記の逓減用画素で置換させ、暗号化された書画情報の指定した位置における画素を復号して表示手段に表示することを特徴とする書画の復号化装置。
【請求項３】
暗号化の対象を単一の画素および／または複数画素を纏めたブロック毎に指定することを特徴とする請求項１記載の書画の暗号化装置。
【請求項４】
暗号化された画素が単一の画素および／または複数画素を纏めたブロックで処理されている書画情報の指定した位置における画素を復号して表示することを特徴とする請求項２記載の書画の復号化装置。
【請求項５】
前記画素は複数の数値因子から構成され、原画素の暗号化指定位置の上記因子が構成する数値パターンを異なる数値パターンに置換する置換テーブルを有し、前記演算子は前記因子を前記置換テーブル内から選択したパターンで置換するように作用させることを特徴とする請求項１記載の書画の暗号化装置。
【請求項６】
請求項５記載の置換テーブルは、原画素を３因子で説明した状態に於いてそれぞれの因子に対して光の三原色または輝度・色相，または色相・明度・彩度に対応して設けたテーブルであることを特徴とする書画の暗号化装置。
【請求項７】
前記置換テーブルによる置換によって暗号化された画素を復号する際に、暗号化された画素とともに原画素の情報と画素位置を受領することを特徴とする請求項２または請求項４記載の書画の復号化装置。
【発明の詳細な説明】
【０００１】
【発明の属する技術分野】
本発明は動画像・制止画像及び、画面で視聴覚できる文字・記号などの書画像情報に対する暗号化及び・復号化に関する。
【０００２】
【従来の技術】
近年、テレビ放送を始め、Ｎ−ＩＳＤＮ，Ｂ−ＩＳＤＮおよび高速ＬＡＮ等のネットワークあるいはＣＡＴＶなどのネットワークを介して、教育用映像および映画・鑑賞絵画画像等の書画像情報が音声等を付加したマルチメディア情報として提供される通信媒体環境が整ってきた。そして、これら書画像情報は上記のネットワークを介してオンラインで提供されたり、オンデマンドで提供されたりする。しかし、これら番組は利用または鑑賞を目的に有料契約した契約者に対してだけ有料で提供するため、番組単位で暗号化して提供されており、番組の利用または鑑賞に際しては番組単位で復号してから利用または鑑賞することになる。
【０００３】
従来のマルチメディア情報の有料提供システムにおける番組の提供方法は、言わば秘密通信であり、下記の手段で提供されていた。
即ち、情報の発信元で発信情報または番組の全ページまたは全フレームに対してページ単位またはフレーム単位で暗号化処理を行って送信し、受信端で暗号化された情報をページ単位またはフレーム単位で全ページまたは全フレームを復号し、利用者へ提供していた。このような対象としては、ＣＡＴＶサービスやＢＳ／ＣＳ放送サービスがある。
【０００４】
また、数多くの「番組」を用意し、利用者に番組単位で選択させ、情報発信元は利用者からの番組選択情報に基づいて選択された番組のみを利用者端へ専用回線等で送信していた。このような対象としては、ビデオオンデマンド形式で提供されるＣＡＴＶサービスやデータベースサービスがある。
【０００５】
【発明が解決しようとする課題】
このようなマルチメディア情報に対する視聴者の要求は、複数の提供される番組から「見たい番組」を容易に選択できること、また番組内の特定の「場面／画面」だけを特に鑑賞できること、更には「知りたい情報」を容易に入手できること等であるが、上記した従来の提供システムでは番組単位で暗号化されているため、暗号化された番組内の特定の場面や画像だけに的を絞って復号し、この復号部分に対してのみ料金を支払うようなシステムまたは操作手段は提供されていない。
【０００６】
このようなまたはシステムまたは操作手段が提供されていないため、利用者の有する多様な、例えば、番組内に散在もしくは点在している，特定画像／部分画像／特定ページ／特定文章のパラグラフ等／特定の用語／特殊な表現／特定の図表等，のみを閲覧したい或いは入手したいという要求を満たすことができない不都合があった。
【０００７】
本発明はこのような課題を解決するために創出された発明であり、有料で提供するために暗号化して提供される番組内の個々のフレーズや個々の画面を個別に復号して、この復号部分に対して料金を支払うことで容易に閲覧または入手できる手段を提供することを目的とする。
【０００８】
【課題を解決するための手段】
上記の課題は下記の如くに構成された本発明によって解決される。
図１は、本発明の原理図であり、同図（Ａ）は請求項１記載の暗号化装置であって、書画を構成する複数の画素を配置し、前記複数画素のそれぞれの色情報の連鎖展開または局所化によって意味付けられた書画情報を表示する書画情報の暗号化装置に適用される。
【０００９】
図において、１は原書画を構成する複数の画素を格納した記憶手段であり、画面に表示される際に２次元配列となるべき複数画素を格納する。２は暗号化すべき位置の画素を指定して前記画素に付番を施す付番手段であり、１つの画面を暗号化するときは画面内全画素を指定し、１つの画面内の特定位置の画素を暗号化する時は個別に画素の位置を指定する。３は付番手段２によって指定された付番つき画素を暗号化するための読出手段であり、４は読出された前記画素を構成する１以上の因子（例えば，光の３原色である因子「赤」，因子「緑」，因子「青」）のそれぞれに演算子を作用させる作用手段であり、５は暗号化された画素の位置を指定した書画情報を格納する記憶手段である。
【００１０】
また同図（Ｂ）は請求項２に記載の復号化装置であり、書画を構成する複数の画素を配置し、前記複数画素のそれぞれの色情報の連鎖展開または局所化によって意味付けられた書画情報の復号化装置に適用される。
【００１１】
図において、５は復号化装置に設けられ、暗号化された画素の位置を指定した書画情報を格納する記憶手段であり、６は前記書画情報から暗号化された画素を読み出す読出手段、７は暗号化された画素から演算子の作用を戻す復元手段、８は暗号化された書画情報の指定した位置における画素を復号して表示する表示手段である。
【００１２】
【発明の実施の形態】
以下に図面を併用して、本発明の実施の形態を詳細に説明する。
図２は本発明を適用する時の暗号化及び復号化の制御手順であり、図において転送２００の前段が送信側の処理であり、後段が受信側の処理である。
【００１３】
即ち、送信側はＴＶ信号等のアナログ信号をアナログディジタル（Ａ／Ｄ）変換部１０１でディジタル信号に変換してディジタル信号の画像情報１０２として供給する。このディジタル化された１画面毎の画像を画素単位に暗号化１０３し、続いて送信を高速に行うために送信全画像の圧縮処理１０４を行い、受信側への転送２００を行う。
【００１４】
この圧縮された画像信号を受信した受信側では伸長処理３０１を行い、更に１画面毎に画素毎の復号化３０２を行ってディジタル信号の画像情報３０３を復元し、表示画面３０４に表示するものである。
【００１５】
本発明の実施の形態では、個別に画素を指定して暗号化する。ここで、画素を構成する因子として３種類の要素信号を採用する。因みに、要素信号としては暗号化の目的に叶う色信号を採用し、例えば指定画素の全部を単色化したければ光の三原色である（Ｒ，Ｇ，Ｂ）を用いるのが有効であり、或いは暗号化を輝度調整で処理したい場合は、輝度信号（Ｙ）と２つの色差信号（Ｒ−Ｙ），（Ｂ−Ｙ）を用いるのが有効である。或いは、目的に応じてこれ以外の色信号（例えば、色相・明度・彩度）を用いることも出来る。
【００１６】
上記３種類の画素を構成する要素信号に対する暗号化方法として下記の手段を採用する。第１の暗号化方法は暗号化対象画素のそれぞれの要素信号に対する「加算」処理であり、第２の暗号化方法は「パターンによる置換」処理である。
【００１７】
ディジタル処理された画像の同時発色をフルカラー（通称，１６７７万色）とし、光の三原色（Ｒ，Ｇ，Ｂ）で表示する場合、各々の構成ビットは８ビット（１バイト）になる。上記した第１の「加算」処理では、この各々の１バイトに対する演算処理（例えば、特定値＝αの加算）を行なうことで色変換ができる。但し、任意のαを設定したのでは、変換後の色の予測が出来ないから、予め原画素の色を所望の色に変換できるようにシミュレートする事になる。更に、単純な加算ではオーバフローが発生して、復号の為の情報が脱落する場合も想定されるから、加算による溢れビットの保存を考慮する。
【００１８】
また、上記した第２の「置換」処理では、各要素毎１バイトの全パターン（２５６通り）に対して、これを置換するパターンテーブルを交換可能に用意し、指定位置の画素の三要素のそれぞれの１バイトのパターンから上記の置換用のパターンテーブルを照合し、該当するパターンで置換するものである。
【００１９】
上記の暗号化のプロセスを図３によって説明する。図３は暗号化の処理ブロック図であり、１０は端子１０Ｇからシリアルに入力されるディジタルな原画像の信号を格納するメモリであり、２０は端子２０Ｐによって入力した上記画像内の暗号化したい画素の位置信号を保存するメモリであり、３０は後述するメモリ４１から１画素またはブロック画素を指示する信号を受け、メモリ２０の指定位置の画素を１画素単位またはブロック画素単位にメモリ１０から読み出して暗号化すべき画素データを照合する暗号化の位置照合部である。
【００２０】
また、４１は端子４１Ｔから入力指示された暗号化種別の指示信号を保持するメモリであり、暗号化種別として、単一画素またはブロック画素を指定し、且つそれぞれの画素に対して「加算」処理を指示する場合や、或いは「置換」処理を指示するものであり、「置換」処理の場合にはその置換のパターンを指示入力するものである。そして、４２は上記の置換処理が指示された際のメモリ４１から読み出したこの指示信号によって選択される単一画素またはブロック画素の置換用のパターンテーブルである。
【００２１】
次に４３はパターンテーブル検索部であり、位置照合部３０からの出力（単一画素指示；図４のＣ／／ブロック画素指示；図７のＣ）を受け、暗号化種別指示信号メモリ４１から読み出した「加算」または「置換」指示信号によって、加算指示の場合はそのまま、置換指示の場合は画素単位の置換用のパターンテーブル４２（図５）を読み出し、後段の暗号化処理部４０に出力する。
【００２２】
暗号化処理部４０は、暗号化が「加算」であれば原画像の指定位置の画素に加算による暗号化を行い、暗号化が「置換」を指定している場合は、原画像の指定位置の画素を指定されたパターンテーブルによって置換した暗号化画素をメモリ５０（単一画素指示；図４のＣ／／ブロック画素指示；図７のＣ）に格納し、且つ受信端への送信に際しては暗号化種別指示信号５１と暗号化画素の位置信号５３および暗号化対応復号用画素情報５２（図４のＣ／／図７のＣ）を併せて送信する。
【００２３】
上記した原画像の暗号化と復号化の詳細を更に図４，図５，図７を用いて説明する。
（１）始めに、単一画素で画素位置を指定する場合を説明する。
【００２４】
図４は暗号化される原画像画素の単一画素指定説明図であり、同図（Ａ）は表示画像の例図、同図（Ｂ）は画素付番例図、また同図（Ｃ）は暗号化付番画素のメモリ説明図である。同図（Ａ）の画面は例えばライン内を８画素とする縦６ラインで構成した場合で、「○」で示す位置が個々の画素位置とし、図中で「網掛けした画素」を暗号化することを示している。暗号化した画素を受信端で復元せずに表示すると、暗号状態で表示されることになり、例えば、暗号化を「白抜き」に設定すれば、受信端の画面には「網掛け」部分が「空白」となって表示されてしまう。
【００２５】
この指定画素位置は同図（Ｂ）のように、画面の左上隅の画素から右下隅に向かって付番され、例えば４８画素に対して「００」〜「４７」までとなる。従って、同図（Ａ）内の「網掛けした画素」位置の付番は「２５」〜「３０」となり、メモリ内の配置は同図（Ｃ）に示すように縦１列に格納されている。
【００２６】
そして、図３に示す暗号化の位置照合部３０は、同図（Ｃ）の「有無」欄，「付番」欄，および「原画像の画素情報（Ｘ，Ｙ，Ｚ）」欄を形成する作業を行い、この同図（Ｃ）の「付番」欄の「２５」〜「３０」の「有無」欄に付番対象を意味するシンボルとして「○」印を付与するものである。なお、同図（Ｃ）中の鎖線枠内は暗号処理対象を示すものであり、「付番」欄の鎖線枠内は位置信号５３，「原画像の画素情報」欄の鎖線枠内は暗号化対応復号用画素情報５２，「暗号化画像の画素情報」欄の鎖線枠内は暗号化画素パターン５４をそれぞれ示している。
【００２７】
次に、暗号化処理部４０は、例えば端子４１Ｔからの指示入力が「加算」であれば、入力され或いは予め設定されている定数（α）を指定位置（２５〜３０）の原画像の画素情報（Ｘ，Ｙ，Ｚ）各々に加算し、その結果を同行の暗号化画像の画素情報（Ｘ／Ｌ，Ｙ／Ｌ，Ｚ／Ｌ）の同図（Ｃ）の鎖線枠内の暗号化画素パターン５４として格納し、その他の位置の画素は原画像の情報をそのまま複写格納する。
【００２８】
また、端子４１Ｔからの指示入力が「置換」であり、かつ「パターン（１）  」である場合は、図５に示すパターンテーブル４２１を選択する。画素の３要素のそれぞれが８ビットパターンであれば、それぞれの要素毎にパターンテーブル４２１の「原画用パターン」欄を検索し、該当するパターンが検索されたときは当該パターンの右欄のパターン「ＬＬＬＬＬＬＬＬ」を選択して置換する。（図４のＣの鎖線枠の暗号化画素パターン５４）
ここで、パターン「ＬＬ〜Ｌ」は任意のビットパターンの組合わせを意味し、暗号化処理を「白抜き」にしたい場合は「００〜０」に設定し、或いは「黒塗り」にしたい場合は「１１〜１」に設定しておき、１つの画素に対する３要素（Ｘ，Ｙ，Ｚ）のそれぞれを上記のパターンに置換すればよい。
【００２９】
或いは、指定位置画素を全て「純赤」にしたい場合は、画素の３要素のＸ，Ｙ，Ｚを３原色（赤＝Ｒ，緑＝Ｇ，青＝Ｂ）に設定し、Ｒに対する置換パターンはパターンテーブルを「１１〜１」とし、他のＧとＢに対する置換パターンはパターンテーブルを「００〜０」に設定したテーブルを用いれば良いことになる。
【００３０】
或いは、暗号化画素の状態を「輝度」のレベルで調整した暗号としたい場合は、画素の３要素を、輝度と色相による信号（ｙ，ｕ，ｖ）に設定し、輝度のｙについてレベルを調整するようなパターンテーブルを図５に設定すればよい。
【００３１】
以上のようにして原画像は画素単位に暗号化され、図４（Ｃ）に示すように、「付番」欄の「２５」〜「３０」に該当する「有無」欄に「○」印が付され、同行内の画素要素（Ｘ，Ｙ，Ｚ）を暗号化した画素情報（Ｘ／Ｌ，Ｙ／Ｌ，Ｚ／Ｌ）を格納するものである。即ち、図３中の暗号化画像のメモリ５０に図４（Ｃ）右欄の「暗号化画像の画素情報」が格納され、受信端への送信に際して、暗号化種別指示信号（例えば、加算指示と定数α，或いは置換指示とパターンテーブル番号）５１と暗号化指定の位置信号５３と暗号化対応復号用画素情報５２が併せて送信される。
【００３２】
次に、単一画素を指定して暗号化された画像を受信した復号時の処理を説明する。
図６は図３の処理ブロック図に対応する復号化の処理ブロック図である。図において、図３中に用いた符号と同一符号は同一物を示し、６０は復号化すべき画素の読出部、７３は復号パターン検索部、７０は復号化処理部、８０は復号した画像の表示部である。
【００３３】
上記の構成を持つ復号化処理の動作を以下に説明する。
暗号化された画像データ（図４のＣの右欄；「暗号化画像の画素情報」）を上述したように暗号化画像のメモリ５０に受信する。また、併せて、暗号化種別指示信号５１と位置信号５３と暗号化対応復号用画素情報５２も受信する。
【００３４】
復号化の画素読出部６０は、暗号化種別指示信号５１からの暗号化の画素指定が１画素単位に指定されていることを確認し、暗号化画像のメモリ５０から画素情報（Ｘ／Ｌ，Ｙ／Ｌ，Ｚ／Ｌ）を１ラインづつ読み出しながら最終ライン迄を、付番を付加しながら後段の復号パターン検索部７３に逐次出力する。
【００３５】
この１ライン毎の出力を受けた復号パターン検索部７３は暗号化種別指示信号５１から暗号化が「加算」又は「置換」であるかを判別し、「加算」であれば同時に受信する定数αの読み出しを行っておき、位置信号５３から付番（図４のＣ）を読み出す。
【００３６】
次に、復号パターン検索部７３は入力された１ライン分の画素信号（Ｘ／Ｌ，Ｙ／Ｌ，Ｚ／Ｌ）について付番を照合し、暗号化対象のラインでなければそのまま復号化処理部７０をスルーにして表示部８０へ送出させる。一方、暗号化対象のラインであると判別したときは、暗号化されている１ライン分の画素信号（Ｘ／Ｌ，Ｙ／Ｌ，Ｚ／Ｌ）を復号化処理部７０に出力する。
【００３７】
復号化処理部７０はこの画素情報（Ｘ／Ｌ，Ｙ／Ｌ，Ｚ／Ｌ）を受信し、暗号化画素（Ｘ／Ｌ，Ｙ／Ｌ，Ｚ／Ｌ）の各々を定数αで減算して復号し、後段の表示部８０に出力する。
【００３８】
一方、１ライン毎の出力を受けた復号パターン検索部７３は暗号化種別指示信号５１から暗号化が「置換」であって、かつ置換用パターン（１）  ４２１で処理された事を判別する。そこで、位置信号５３から置換位置（図４のＣ）の付番を読み出す。
【００３９】
次に、復号パターン検索部７３は入力された１ライン分の画素信号（Ｘ／Ｌ，Ｙ／Ｌ，Ｚ／Ｌ）について付番を照合し、暗号化対象のラインでなければそのまま復号化処理部７０をスルーにして表示部８０へ送出させる。一方、暗号化対象のラインであると判別したときは、暗号化対応復号用画素情報５２から１ライン分の原画素（Ｘ，Ｙ，Ｚ）を読み込み、暗号化されている１ライン分の画素信号（Ｘ／Ｌ，Ｙ／Ｌ，Ｚ／Ｌ）とともに復号化処理部７０に出力する。
【００４０】
復号化処理部７０はこの両信号（Ｘ，Ｙ，Ｚ；Ｘ／Ｌ，Ｙ／Ｌ，Ｚ／Ｌ）を受信し、暗号化画素（Ｘ／Ｌ，Ｙ／Ｌ，Ｚ／Ｌ）を原画素（Ｘ，Ｙ，Ｚ）で置換して復号し、後段の表示部８０に出力する。
【００４１】
受信した１画面毎の画像に上記の復号化プロセスを遂行することで、画素毎に暗号化された画像が復元表示されるものである。
なお、上記の実施の形態では、暗号化対応復号用画素情報５２として、原画像の暗号化以前の画素を復号側に送出しているが、原画像の画素以外の画素情報を送出することも出来る。例えば、原画像が１６７７万色のフルカラーであって暗号化を１６色で置換して送出し、復号用の画素を料金体系を変額性にして、視聴者の支払う金額に応じて、復号用画素を「フルカラー」，「３２Ｋ色」，「２５６色」等のいずれかを選択して送出し、復号画像をそれぞれ画質を変えて表示するようにできる。
【００４２】
上記の暗号化／復号化のプロセスは、対象書画が静止書画であれば１画面ごとの送信／受信で済むが、対象書画が動画像であれば１フレーム内の全画像に対して１画面毎に処理することになる。
【００４３】
なお、上記の図６におけるプロセスは暗号化された画像を復号する際のものであるが、受信した画像は必ずしも復号されるものでないことから、前段に復号要否の判別部を設けておき、一旦受信した書画を復号せずに暗号化のまま表示させ、当該書画を視聴者が閲覧を希望した場合に、上記復号のプロセスを遂行させることもできる。
【００４４】
以上、本発明の実施の形態として、１画素ごとに暗号化対象の画素を指定したものであるが、表示画面上の画素位置の指定手段は、画像処理系のアプリケーションで周知の技術を使用して指定する。例えば、表示画面を拡大することおよびスクロールによって所望の画像位置を画面内で移動させ、この時の拡大倍率をあげることで画素毎の位置をキーボードのテンキーまたはポインティングデバイス（マウス，トラックボール等）で指示し、この指示位置座標を取り込むものである。或いは、一般にルーペとして周知の技術によって画面上に倍率を上げた可動ウインドを開いてもよい。
（２）次に、ブロック画素で画素位置を指定する場合を説明する。なお、ブロック指定は暗号化の抽出位置が画素指定と異なるだけであるから、この操作の特徴点について、暗号化が「置換」に於ける場合で説明する。
【００４５】
ブロック指定の手段としては、画面上で隣接する画素のＮ×Ｍ個毎に付番を行い、この付番した位置に対してキーボードのテンキー等で任意の複数ブロックを指示入力を行い、或いは、枠取り指定におけるキーボードのカーソル移動キーやマウスカーソルのドラッギング等、或いはスキャナーにおけるマスク機能等を使用して、ブロックを画面上で指示入力する。
【００４６】
図７はブロックで暗号化される原画像画素の指定説明図であり、同図（Ａ）は２×２のブロック化例図、同図（Ｂ）はブロックの付番化例図、また同図（Ｃ）は暗号化付番画素のメモリ説明図である。同図（Ａ）の画面は例えばライン内を８画素とする縦６ラインで構成し、「○」で示す位置が個々の画素位置とし、鎖線枠内の４個の画素を１ブロックとした場合で、図中で「網掛けしたブロック」を暗号化することを示している。暗号化したブロック画素を受信端で復元せずに表示すると、暗号化状態で表示されることは、画素単位で指示した場合と同様である。
【００４７】
このブロック画素指定位置は同図（Ｂ）のように、画面の左上隅の画素から右下隅に向かって付番され、例えば８ブロック画素に対して「０」〜「７」までとなる。従って、同図（Ａ）内の「網掛けしたブロック」位置の付番は「１」となり、メモリ内の配置は同図（Ｃ）内で鎖線枠で示すように縦１列内の４ケ所に分散格納されている。なお、同図（Ｃ）で左端の「Ａｄ」はメモリ内アドレスであり、「ＢＮｏ．  」はブロック付番である。
【００４８】
そして、図３に示す暗号化の位置照合部３０は、暗号化種別指示信号メモリ４１からの指示により、暗号化がブロックで指示されることを判別して、同図（Ｃ）の「Ａｄ」欄，「ＢＮｏ．  」欄，および「原画像の画素情報（Ｘ，Ｙ，Ｚ）」欄を形成する作業を行い、この同図（Ｃ）の「ＢＮｏ．  」欄の「１」に付番対象を意味するシンボルとして「○」印を付与する。
【００４９】
続いて、パターンテーブル検索ブロック４３は、図８に示すテーブルを使用し、指定位置のブロック画素を暗号化する。
図８は２×２ブロック画素置換用パターンテーブル構成図であり、暗号化の構図パターンである。本例では１つのブロックに４欄構成のテーブル（４２１−１，４２１−２，〜，４２１−ｎ）を使用する。同図で第１欄はブロック画素の左上端，第２欄は右上端，第３欄は左下端，第４欄は右下端にそれぞれ該当する。また、ブロック付番が１で且つパターン２として指定されると、メモリ内アドレスは「０２，０３，１０，１１」が置換対象になり、置換用パターン（２）  ４２１−２が適用される。
【００５０】
この時の画素上で例えば「塗り潰し四角」が表示中であり、暗号化を「塗り潰し三角」にする場合、図８のＢＮｏ．＝１の行において、置換用パターン欄の「ＭＭＭ〜Ｍ」４２１−２の第１欄を「００〜０」とし、第２欄乃至第４欄は「１１〜１」に設定しておく。
【００５１】
図３のパターンテーブル検索部４３は、図７（Ｃ）のＡｄ＝０２，０３，１０，１１に該当するＢＮｏ．が付番＝１であることを検索し、図８のパターンテーブル（２）  ４２１−２を検索して後段の暗号化処理部４０に出力する。
【００５２】
この出力を受け、暗号化処理部４０は図７（Ｃ）の右欄の暗号化画像の画素情報（Ｘ／Ｍ，Ｙ／Ｍ，Ｚ／Ｍ）の該当位置に置換用パターン（２）  のＢＮｏ．＝１の行の「ＭＭＭ〜ＭＭ」を読み出して置換する。
【００５３】
以上のようにして暗号化されたブロック画素は復号側に転送されるが、この時の転送情報及び復号側の処理プロセスは、単一画素指定と同様であり以降の説明は省略する。
【００５４】
【発明の効果】
以上、詳細に説明したが、本発明の画素単位或いはブロック画素単位で暗号化する技術を適用することで、ＣＡＴＶシステムやＶＤＯシステム、或いは教育分野での活用が図れる効果が大である。
【００５５】
本発明を適用することで、料金体系を従来の定額方式から変額方式、即ち料金請求を暗号部分を復号化した部分を含む書画の１画面だけに限定して課金対象にできる。
【００５６】
この事は、情報の提供側にしても画一的な金額で商品（提供番組）の価格をきめる必要がなくなり、特に商品価値の高い書画を１場面として含むような番組については、１画面単位で売買の対象にできる格別な効果を奏している。
【００５７】
また、視聴者側にとっても、番組単位という曖昧な画一的な料金を請求されずに済み、閲覧又は入手を希望する商品（書画あるいは番組内の１場面）について適切な代価で要望を満たすことができる格別な効果を奏している。
【００５８】
また、情報提供者は同一書画に対する代価を復号の精細度に対応させて設定できる効果を奏している。
この場合の精細度は、原画像の画素要素を設定する因子を、ＲＧＢ／ｙｕｖ／ＨＶＳなどを選択することで、復号画像については、明度／輝度／色相で調節することができる為である。
【００５９】
また、ブロック画素単位で暗号化を図ることで、画像を構成する「曲線」を「直線化」したり、本来の「漢字」部分を「ひらがな」化しておき、復号側の要求に応じて復元状態を段階的に原画像に近づけるような操作も可能になる格別な効果を奏している。
【図面の簡単な説明】
【図１】本発明の原理図である。
【図２】暗号化・復号化の制御手順図である。
【図３】暗号化の処理ブロック図である。
【図４】暗号化される原画像画素の指定説明図である。
【図５】画素単位の置換用パターンテーブル構成図である。
【図６】復号化の処理ブロック図である。
【図７】ブロックで暗号化される原画像画素の指定説明図である。
【図８】ブロック画素置換用パターンテーブル構成図である。
【符号の説明】
１  原書画の記憶手段
２  付番手段
３  暗号化対象画素の読出手段
４  作用手段
５  暗号化された書画の記憶手段
６  復号化対象画素の読出手段
７  復元手段
８  表示手段
１０  原画像のメモリ
２０  位置信号メモリ
３０  暗号化の位置照合部
４０  暗号化処理部
４１  暗号化種別指示信号メモリ
４２  置換用のパターンテーブル
４３  パターンテーブル検索部
５０  暗号化画像のメモリ
【図１】
0003610642.tif 000002
【図２】
0003610642.tif 000003
【図３】
0003610642.tif 000004
【図４】
0003610642.tif 000005
【図５】
0003610642.tif 000006
【図６】
0003610642.tif 000007
【図７】
0003610642.tif 000008
【図８】
0003610642.tif 000009